(57)【要約】【課題】本発明は、インクジェットプリンター装置によりアルファベット文字、数字等からなるランダム文字列などの印字回数の検査方法を提供することを目的とする。【解決手段】連続媒体に印刷画像を形成すると同時に、アルファベット文字、数字等からなるランダム文字列などの印字画像を印字するインクジェットプリンター装置を備えた連続媒体印刷装置におけるインクジェット印字回数の検査方法であって、前記印刷装置における印刷シリンダーの回転に応じて出力される回転信号を検出する検出手段と、該印刷シリンダーの回転信号に基づいて前記インクジェットプリンター装置にて出力する印字開始位置信号および印字完了信号を形成する印字指令手段とを有し、前記印刷シリンダーの回転信号と印字完了信号とを照合して異常印字の有無を判定すること特徴とするインクジェット印字回数の検査方法である。【選択図】図１
2004174994.tif 000002
【特許請求の範囲】
【請求項１】
連続媒体に印刷画像を形成すると同時に、アルファベット文字、数字等からなるランダム文字列などの印字画像を印字するインクジェットプリンター装置を備えた連続媒体印刷装置におけるインクジェット印字回数の検査方法であって、
前記印刷装置における印刷シリンダーの回転に応じて出力される回転信号を検出する検出手段と、該印刷シリンダーの回転信号に基づいて前記インクジェットプリンター装置にて出力する印字開始位置信号および印字完了信号を形成する印字指令手段とを有し、前記印刷シリンダーの回転信号と印字完了信号とを照合して異常印字の有無を判定すること特徴とするインクジェット印字回数の検査方法。
【請求項２】
前記連続媒体が、包装材料または包装材料の印刷基材からなることを特徴とする請求項１記載のインクジェット印字回数の検査方法。
【発明の詳細な説明】
【０００１】
【発明の属する技術分野】
本発明は、連続媒体に印刷画像を印刷形成すると同時に、アルファベット文字、数字等からなるランダム文字列などの印字画像を印字するインクジェットプリンター装置を備えた連続媒体印刷装置におけるインクジェット印字回数の検査方法に関する。
【０００２】
【従来の技術】
インクジェットプリンター装置により印字される、例えば、アルファベット文字、数字等からなる文字列などの印字画像には、（１）繰り返し同一の画像を印字する場合と、（２）同一画像のある一定の位置に１回１回異なる画像を印字する場合と、（３）画像全体が１回１回異なる場合がある。
これらの印字画像の印字不良を検査する場合、上記（１）の場合のような印字画像は、従来一般の印刷装置に用いられているテレビカメラ等の画像装置を用いた画像検査装置にて検査できるが、上記（２）、（３）のように、各印字画像の一部または全体がが１回１回異なるランダム印字画像の場合は、上記従来のテレビカメラ等の画像装置を用いた画像検査装置では、１回１回エラー信号を出力してしまい検査が不可能である。
【０００３】
このため、従来、上記の印字画像の一部または全体が１回１回異なるランダム印字の良否の検査は、印字後のオペレーターの目視によるチェックのみで行っていたので、大変な労力でであると共に、それにも拘わらず、その検査内容に信頼性が低いものであった。印字の不良品が検出されない場合はそのまま処理され、チェックミスによる不良品が市場にでる可能性が高かった。
【０００４】
【発明が解決しようとする課題】
本発明は、上記の問題点を解決するためになされたものであって、連続媒体に印刷画像を印刷形成すると同時に、アルファベット文字、数字等からなるランダム文字列などの印字画像を印字するインクジェットプリンター装置を備えた連続媒体印刷装置におけるインクジェットプリンター装置においての１回１回異なるアルファベット文字、数字等からなるランダム文字列などの印字画像の有無を、低コストで、検査内容に信頼性の高い、迅速に判定することが可能な、インクジェット印字回数の検査方法を提供することを目的とする。
【０００５】
【課題を解決するための手段】
上記目的を達成するために、すなわち請求項１に係る発明は、
連続媒体に印刷画像を形成すると同時に、アルファベット文字、数字等からなるランダム文字列などの印字画像を印字するインクジェットプリンター装置を備えた連続媒体印刷装置におけるインクジェット印字回数の検査方法であって、
前記印刷装置における印刷シリンダーの回転に応じて出力される回転信号を検出する検出手段と、該印刷シリンダーの回転信号に基づいて前記インクジェットプリンター装置にて出力する印字開始位置信号および印字完了信号を形成する印字指令手段とを有し、前記印刷シリンダーの回転信号と印字完了信号とを照合して異常印字の有無を判定すること特徴とするインクジェット印字回数の検査方法である。
【０００６】
また、請求項２に係る発明は、
前記連続媒体が、包装材料または包装材料の印刷基材からなることを特徴とする請求項１記載のインクジェット印字回数の検査方法である。
【０００７】
【発明の実施の形態】
以下、本発明のインクジェット印字回数の検査方法一実施例としての実施形態について図面を参照して説明する。
図１は、本発明のインクジェット印字回数の検査方法一実施例を示すブロック線図である。本発明のインクジェット印字回数の検査方法は、連続媒体に印刷画像を形成すると同時に、アルファベット文字、数字等からなるランダム文字列などの印字画像を印字するインクジェットプリンター装置を備えた連続媒体印刷装置におけるインクジェット印字回数の検査方法であって、
前記印刷装置における印刷シリンダーの回転に応じて出力される回転信号を検出する検出手段と、該印刷シリンダーの回転信号に基づいて前記インクジェットプリンター装置にて出力する印字開始位置信号および印字完了信号を形成する印字指令手段とを有し、前記印刷シリンダーの回転信号と印字完了信号とを照合して異常印字の有無を判定すること特徴とするものである。
【０００８】
図１に示すように、連続媒体１に、印刷画像を形成する印刷装置２に備える印刷シリンダー５が回転すると、印刷シリンダーの回転を検出器７にて検出し、この印刷シリンダー回転信号８を判定装置９をに与えられて、インクジェットプリンター装置３による印字開始すべき位置に合わせて印字を行うための印字開始タイミングを指令する信号６が形成されてインクジェットプリンター装置３の制御装置３ａに与えられる。この制御装置３ａでは、別途予め印字入力装置４で与えられているアルファベット文字、数字等からなるランダム文字列などの印字画像情報を印字開始信号を参照しつつ印字機３ｂに与えて印字を行う。
【０００９】
また、上記の印字開始タイミングを指令する信号は、印刷シリンダーに印刷絵柄毎に印字開始マークを入れて、連続媒体１に印刷絵柄マークとして形成し、この印字開始マークを、別途配設したセンサー６にて検知して、印字開始すべき位置に合わせて印字を行うための印字開始タイミングを指令する信号をインクジェットプリンター装置３の制御装置３ａに与えて印字を行う。
【００１０】
アルファベット文字、数字等からなるランダム文字列などの印字画像の印字を完了すると、制御装置３ａにより印字完了タイミングを指令する信号が印字指令手段に与えられて、印字完了信号が形成される。
【００１１】
そして、印字指令手段からの指令出力である印刷シリンダーの回転信号８と印字完了信号１０に基づいて、判定装置９にて印刷シリンダー１回転当たりに必要な印字数を照合して異常印字の有無を判定する。
【００１２】
図２は、本発明におけるインクジェットプリンター装置を備えた印刷シリンダーを有する印刷装置により、所定の位置に絵柄、印刷模様等の印刷画像と、インクジェットプリンター装置によりアルファベット文字、数字等からなるランダム文字列などの印字画像とが形成された連続媒体の一例を示す説明図である。例えば、１つの印刷シリンダー上に印刷画像領域と印刷マーク等を形成するアクセサリー印刷領域からなる４行×３列領域を有する印刷シリンダーにより、印刷画像１１に印刷画像を形成すると同時に、４行×３列の各領域の所定の印字画像領域１２にアルファベット文字、数字等のランダム文字列などの印字画像が形成され、さらにアクセサリー印刷領域１３にシリンダー絵柄として、印刷シリンダー１回転を示す１つのマーク１４等を形成した連続媒体１である。
【００１３】
次に、本発明のインクジェット印字回数の検査方法における異常印字の有無の判定方法を説明する。
図３は、図２に示した連続媒体１のインクジェットプリンター装置により印字された印字画像領域１２の文字列とそれに対応する印刷シリンダーの１回転を示す印刷絵柄マーク１４の一部を模式化して示したものである。印字完了を示す印字完了パルス信号（ａ）および印刷シリンダーの回転パルス信号（ｂ）に基づいて、印刷シリンダー１回転につき印字完了信号が３パルス発生すれば、異常印字が無く「ＯＫ」判定がなされる。一方、印刷シリンダー１回転につき印字完了信号が３パルス以外であれば、印字抜け等の異常印字が有り「ＮＧ」判定がなされる。
【００１４】
上述したように、本発明のインクジェット印字画像の検査方法によれば、インクジェットプリンター装置を備えた連続媒体印刷装置におけるインクジェットプリンター装置においての１回１回異なるアルファベット文字、数字等からなるランダム文字列などの印字画像の異常印字の有無を、低コストで、検査内容に信頼性の高い、迅速に判定することが可能となる。
【００１５】
本発明における連続媒体１として、特に、限定されるものではないが、紙、プラスチックフィルム、アルミニウムなどの金属箔、蒸着フィルムやこれらの積層した印刷基材を用いることができる。このような印刷基材を用いた連続媒体に印刷画像を形成すると同時に、アルファベット文字、数字等からなるランダム文字列などの印字画像を印字するインクジェットプリンター装置を備えた連続媒体印刷装置により、印刷画像とアルファベット文字、数字等からなるランダム文字列などの印字を施し、この印刷基材を用いた包装材料で、内容物を包装して、包装体として市場に出し、消費者が上記のアルファベット文字、数字等からなる文字列等をインターネット上で入力して景品等を得ることができるキャンペーン等に応募することがきる、アルファベット文字、数字等からなるランダム文字列などの画像を形成した包装材料もしくは包装体を提供することができる。本発明のインクジェット印字回数の検査方法により、上記のアルファベット文字、数字等からなる文字列等において印字抜けや同一文字列の印字などの異常印字が発生することがない信頼性の高いランダム文字列などの画像を形成した包装材料もしくは包装体を提供することができる。
【００１６】
【発明の効果】
本発明により、連続媒体に印刷画像を形成すると同時に、アルファベット文字、数字等からなるランダム文字列などの印字画像を印字するインクジェットプリンター装置を備えた連続媒体印刷装置におけるインクジェットプリンター装置においての１回１回異なるランダム印字画像の異常印字の有無を、低コストで、検査内容に信頼性の高い、迅速に判定することが可能な、インクジェット印字回数の検査方法を提供することができる。
【図面の簡単な説明】
【図１】本発明のインクジェット印字回数の検査方法の一実施例を示すブロック線図である。
【図２】本発明における連続媒体に印刷画像を形成すると同時に、アルファベット文字、数字等からなるランダム文字列などの印字画像を印字された連続媒体の一例を示す説明図である。
【図３】本発明のインクジェット印字回数の検査方法における印刷シリンダーの回転信号と印字完了信号に基づいて、印刷シリンダー１回転当たりに必要な印字数を照合して異常印字の有無を判定する方法を説明する説明図である。
【符号の説明】
１・・・連続媒体
２・・・印刷装置
３・・・インクジェットプリンター装置
３ａ・・・制御装置
３ｂ・・・印字機
４・・・印字入力装置
５・・・印刷シリンダー
６・・・センサー
７・・・印刷シリンダー回転検出器
８・・・印刷シリンダー回転信号
９・・・判定装置
１０・・・印字完了信号
１１・・・印刷画像領域
１２・・・印字画像領域
１３・・・印刷アクセサリー領域
１４・・・印刷絵柄マーク
【図１】
2004174994.tif 000003
【図２】
2004174994.tif 000004
【図３】
2004174994.tif 000005